(57)【要約】      （修正有）【課題】図書館や旅先の旅館などへ持って行って読書するときの折畳み式に書見台であり、ページ留めの移動自在なバインダーを併用して両手を自由にして読書できる書見台を提供する。【解決手段】本を載せる書載板１とそれを支える支持板２の２枚の板から構成され、両板が書載板１の裏面において蝶番状に接続された書見台であり、支持板２の下半底板部６に嵌め込まれたスチール板７と書載板１の下半折り曲げ部５に嵌め込まれたマグネット板が磁力で引着することによって立体的な書見台を形成し、マグネット板と５つのスチール板７いずれか一つを選択して磁力で引着させることによって、書載板１の傾斜角度を４５度から７５度の５段階に変えられる折り畳み式の携帯用書見台で、書見台とは別に独立して装備した移動自在バインダー１１をもって開いた本のページ部を固定することを可能とする。【選択図】図１
0003164766.tif 000002
【実用新案登録請求の範囲】
【請求項１】
本考案は、本を載せる板（１）（以下「書載板」という。）とそれを背後から支える板（２）(以下「支持板」という。)の２枚の板から構成される書見台で、２枚に折り曲げられる支持板（２）の上半支持部（３）の先端が書載板（１）の裏面中央部に蝶番状に接続されて蝶番部（４）を構成し、２枚に折り曲げられる書載板（１）の手前の下半折り曲げ部（５）は後方へ自在に折り曲げられ、支持板（２）の下半底板部（６）は手前側へ自在に折り曲げられるようになっており、その手前側へ折り曲げられた下半底板部（６）の中央部には手前から後方へ向かって一列に５枚のスチール板（７）が等間隔で嵌め込まれ、書載板（１）の下半折り曲げ部（５）の底面に嵌め込まれたマグネット板（８）は支持板（２）の下半底板部（６）の上で前後に自在に移動でき、前記の５つのスチール板（７）の何れか一つのスチール板（７）に磁力で引着して、書載板（１）の傾斜角度を４５度から７５度の間において5段階に調整できる折畳み式の携帯用の書見台。
【請求項２】
本考案は、書載板（１）の下方に付設された書載台（９）の上に本を載置して左右に開いた本のページ部（１０）が手を離しても閉じられないように書載板（１）の適宜な場所に留める用具である移動自在のバインダー (１１）（以下「移動自在バインダー」という。）を装備した請求項１記載の書見台。
【考案の詳細な説明】
【技術分野】
【０００１】
本考案は、本を読む者が額を俯けにしたりせず、目や肩、首、手に負担のかからない自然で楽な姿勢で読書することを可能にする書見台で、しかも嵩張らず、手軽に図書館や旅先に携行することができる折畳式の書見台に関する。  
【背景技術】
【０００２】
従来の書見台は、立体的であり図書館や旅先へ携行して使うには嵩張ってそれなりの荷物になる。
【０００３】
従来の携帯用書見台は構造が複雑で、載置できる本の大きさが一定して、本の保持や見開きページの固定に安定感を欠き、また、本を読む紙面の傾斜角度の選択の幅も限られているものが多い。
【０００４】
【特許文献１】特開２００２−２０９６４１号公報特開平０７−３１３２６０号公報実開平０６−００７５４１号公報
【考案の開示】
【考案が解決しようとする課題】
【０００５】
解決しようとする課題は、従来の書見台は立体的になっており、気軽に図書館や旅先へ持っていけるようになっておらず、仮に携帯用となっていたものがあったとしても構造が複雑で、載置する本の傾斜角度の幅も限られ、本のページ押さえも確実には行えず、本の上に手を載せて余白にメモを入れたり、両手を自由にして読書できるようになっていない。
【課題を解決するための手段】
【０００６】
本考案の書見台は、本を載せる２つに折り曲げ折り畳める書載板(１)とそれを支える２つに折り曲げ折り畳める支持板(２)の２枚の板から構成される。
【０００７】
支持板（２）の上半支持部（３）の先端は、書載板（１）の裏面中央部に蝶番状に接続され、そこにおいて蝶番部（４）を構成し、２つに折り曲げ折り畳める書載板（１）の手前の下半折り曲げ部（５）は後方裏側へ自在に折り曲げ折り畳め、２つに折り曲げ折り畳める支持板（２）の中央部では、その手前の下半底板部（６）を手前内側へ自在に折り曲げ折り畳めるようになっている。
【０００８】
支持板（２）の下半底板部（６）の中央部には、その手前から後方へ向かって一列に５枚のスチール板（７）が等間隔に嵌め込まれ、書載板（１）の下半折り曲げ部(５)の底面にはマグネット板（８）が嵌め込まれ、書載板（１）の下半折り曲げ部（５）は支持板（２）の下半底板部（６）の上で前後に自在に移動し、上記５つのスチール板（７）の何れか一つに磁力で引着し、書載板（１）の傾斜角度を４５度から７５度までの間において5段階に調整できるようになっている。
【０００９】
本考案の書見台は、折畳み式の携帯用となっている。
【００１０】
本考案の書見台は、書載板（１）の下方部に付設された書載台（９）の上に本を載置し、左右に開いた本のページ部（１０）を適宜な場所で固定するための用具である移動自在バインダー（１１）を装備する。
【考案の効果】
【００１１】
本考案の書見台は、強化ダンボール紙などの軽い素材でできており、折畳み式となっているので気軽に鞄の中に折畳んで収納して、図書館や旅先へ持って行って使える。
【００１２】
本考案の書見台の書載板（１）の下方部に付設された書載台（９）より上の書載板（１）の寸法は、縦２５．７ｃｍ、横２１ｃｍとなっており、文庫本から週刊誌までを載置できる。
【００１３】
本考案の書見台では開けたページが閉じられないように留める移動自在バインダー（１１）を使うので、両手を自由にして読書できる。
【考案を実施するための最良の形態】
【００１４】
本考案は、本を載せる書載板（１）とその背後から書載板（１）を支える支持板（２）の２枚の板から構成される書見台で、支持板（２）の上半支持部（３）の先端が書載板（１）の裏面中央部に蝶番状に接続され、そこにおいて蝶番部（４）を構成し、書載板（１）の下半折り曲げ部（５）は後方裏側へ自在に折畳め、支持板（２）の下半底板部（６）は手前内側へ自在に折畳めるようになっており、支持板（２）の下半底板部（６）の中央部には、その手前から後方へ向かって一列に、５枚のスチール板（７）が等間隔で嵌め込まれ、書載板（１）の下半折り曲げ部（５）の底面に嵌め込まれたマグネット板（８）が支持板（２）の下半底板部（６）の上で自在に前後に自在に移動して、前記の５つのスチール板（７）の何れか一つに磁力で引着し、書載板（１）の傾斜角度を45度から75度の間において5段階に調整できる形態になっている。
【００１５】
本考案の書見台は、書載板（１）の下方部に付設された書載台（９）の上に本を載置して左右に開いた本のページ部（１０）を閉じられないように留めるための用具である移動自在バインダー(１１）を装備している。
【００１６】
図５（正面図）、図６（平面図）、図７（右側面図）及び図８（背面図）に示す図１や図２、図３などの斜視図に示された書見台を作る。
【００１７】
この書見台は、文庫本から週刊誌までの大きさの本を載置できるよう、書載台（９）から上の書載板（１）の寸法は、縦２５．７ｃｍ横２１ｃｍとする。
【実施例１】
【００１８】
図１は、本考案書見台の斜視図で、書載板（１）の下方部に付設した書載台(９)の上で見開いた本のページ部（１０）が閉じられないように押さえるための用具である移動自在バインダー（１１）を使って見開いた本を書載板（１）に留めて机上書見するとき、書載板（１）の下半折り曲げ部（５）の底面に嵌め込んだマグネット板（８）を、支持板（２）の下半底板部（６）に嵌め込んだ５つのスチール板（７）のうち、手前から３番目のスチール板（７）の上に載せ、書載板（１）の傾斜角度を６０度にして机上書見をするときの実施例である。
【実施例２】
【００１９】
図２は、本考案書見台の斜視図で、２つに折り曲げ折り畳める書載板（１）と２つに折り曲げ折り畳める支持板（２）とで構成され、書載板（１）の下半折り曲げ部（５）の底面に嵌め込んだマグネット板（８）を、支持板（２）の下半底板部（６）に嵌め込んだ５つのスチール板（７）の一番手前のスチール板（７）の上に載せ、書載板（１）の傾斜角度を45度にして机上書見をするときの図である。
【実施例３】
【００２０】
図３は、本考案書見台の斜視図で、２つに折り曲げ折り畳める書載板（１）と２つに折り曲げ折り畳める支持板（２）とで構成され、書載板（１）の下半折り曲げ部（５）の底面に嵌め込んだマグネット板（８）を、支持板（２）の下半底板部（６）に嵌め込んだ５つのスチール板（７）の一番奥のスチール板（７）の上に載せ、書載板（１）の傾斜角度を７５度にして机上書見をするときの図である。
【実施例４】
【００２１】
図４は、書載板（１）の下半折り曲げ部（５）を支持板（２）の下半底板部（６）から外して、書載板（１）及び支持板（２）のそれぞれを内側に折り畳み、折畳まれた書載板（１）と折畳まれた支持板（２）を間隙無くフラットに畳み込んだときの斜視図である。
【図面の簡単な説明】
【００２２】
【図１】本を載せた書見台の斜視図（書載板の傾斜角度を６０度に設定した図）
【図２】書載板の傾斜角度を４５度に設定した書見台の斜視図
【図３】書載板の傾斜角度を７５度に設定した書見台の斜視図
【図４】書載板や支持板を完全に畳み込んだときの書見台の斜視図
【図５】組み立てた書見台の正面図
【図６】組み立てた書見台の平面図
【図７】組み立てた書見台の右側面図
【図８】組み立てた書見台の背面図
【図９】書載板を机上で開いて置いたときの平面図。
【図１０】支持板を机上で開いて置いたときの平面図
【図１１】書載板や支持板を完全に畳み込んだときの書見台の右側面図
【符号の説明】
【００２３】
（１）  書載板
（２）  支持板
（３）  支持板の上半支持部
（４）  蝶番部
（５）  書載板の下半折り曲げ部
（６）  支持板の下半底板部
（７）  スチール板
（８）  マグネット板
（９）  書載台
（１０）本のページ部
（１１）移動自在バインダー
（１２）摘み部
【図１】
0003164766.tif 000003
【図２】
0003164766.tif 000004
【図３】
0003164766.tif 000005
【図４】
0003164766.tif 000006
【図５】
0003164766.tif 000007
【図６】
0003164766.tif 000008
【図７】
0003164766.tif 000009
【図８】
0003164766.tif 000010
【図９】
0003164766.tif 000011
【図１０】
0003164766.tif 000012
【図１１】
0003164766.tif 000013